(57)【要約】【課題】本発明は、ＬＥＤを用いた発光体を効率よく使用できる照明器具を提供することを目的とするものである。【解決手段】ＬＥＤからなる光源を有するとともに発光側接続体１１が取り付けられた発光部１と、発光部１を支持するとともに発光側接続体１１に着脱可能に接続される本体側接続体２３が取り付けられた本体部２とを備え、発光側接続体１１には、ＬＥＤ光源に電源を供給する発光側接続端子部材が設けられており、本体側接続体２３には、発光側接続体と接続した際に発光側接続端子部材に電気的に接続する本体側接続端子部材が設けられている。【選択図】図１
2013149541.tif 000002
【特許請求の範囲】
【請求項１】
ＬＥＤからなる光源を有するとともに発光側接続体が取り付けられた発光部と、前記発光部を支持するとともに前記発光側接続体に着脱可能に接続される本体側接続体が取り付けられた本体部とを備え、前記発光側接続体には、前記光源に電源を供給する発光側接続端子部材が設けられており、前記本体側接続体には、前記発光側接続体と接続した際に前記発光側接続端子部材に電気的に接続する本体側接続端子部材が設けられている照明器具。
【請求項２】
前記発光側接続体及び前記本体側接続体には、前記発光側接続端子部材及び前記本体側接続端子部材が正しい組み合せで接続される場合にのみ嵌合する嵌合部がそれぞれ形成されている請求項１に記載の照明器具。
【請求項３】
前記発光側接続体及び前記本体側接続体には、前記発光側接続端子部材及び前記本体側接続端子部材が誤った組み合せで接続される場合にのみ接触する当接部及び突起部がそれぞれ形成されている請求項１に記載の照明器具。
【請求項４】
前記発光側接続体には、発光側共通端子部材が設けられており、前記本体側接続体には、前記発光側接続体と接続した際に前記発光側共通端子部材に電気的に接続する本体側共通端子部材が設けられている請求項１から３のいずれかに記載の照明器具。
【請求項５】
前記発光側共通端子部材は、前記発光側接続体の回動軸である請求項４に記載の照明器具。
【請求項６】
前記発光部は、ＬＥＤが実装された回路基板を支持固定する枠体を備えており、前記枠体の長手方向の中間部分に前記発光側接続体が固定されている請求項１から５のいずれかに記載の照明器具。
【請求項７】
前記発光部は、前記枠体の上側及び下側にＬＥＤを配列している請求項６に記載の照明器具。
【発明の詳細な説明】
【技術分野】
【０００１】
本発明は、ＬＥＤを発光体に用いる照明器具に関する。
【背景技術】
【０００２】
近年、照明器具に関する分野では、発光体としてＬＥＤ（Light Emitting Diode）が注目されている。ＬＥＤは、従来の蛍光灯等の発光体に比べて消費電力が少なく長寿命であるといった特徴を備えており、ＬＥＤに関する技術開発が進み従来の発光体と遜色のない明るさが得られるようになったことから、ＬＥＤを用いた照明器具の実用化が図られるようになってきている。
【０００３】
ＬＥＤを用いた照明器具としては、例えば、特許文献１には、垂直方向に立設される支柱と、支柱の上端部から平行方向に延出するアームと、アームの先端部に配設されてランプを収納する灯具とを備える照明器具が記載されており、灯具にはＬＥＤが使用できる点が記載されている。また、特許文献２には、スタンド頭部と、スタンド頭部を姿勢変更可能に支持するスタンド本体と、スタンド頭部に取り付けられ、光源として機能する複数個の発光ダイオードとを有する照明スタンドが記載されている。
【先行技術文献】
【特許文献】
【０００４】
【特許文献１】特開２０１１−０６０５１５号公報
【特許文献２】特開２０１１−０９６３８０号公報
【発明の概要】
【発明が解決しようとする課題】
【０００５】
上述した先行文献では、発光体として主に蛍光灯を使用している従来の卓上スタンドにおいて、蛍光灯の代替品としてＬＥＤを用いるようにしている。ＬＥＤを代替品として使用することで、上述したように消費電力の低減や長寿命化が図られるものの製品コストの増加が避けられず、従来の発光体をＬＥＤに代替したことによるメリットが十分発揮されていない課題がある。
【０００６】
そこで、本発明は、ＬＥＤを用いた発光体を効率よく使用できる照明器具を提供することを目的とするものである。
【課題を解決するための手段】
【０００７】
本発明に係る照明器具は、ＬＥＤからなる光源を有するとともに発光側接続体が取り付けられた発光部と、前記発光部を支持するとともに前記発光側接続体に着脱可能に接続される本体側接続体が取り付けられた本体部とを備え、前記発光側接続体には、前記光源に電源を供給する発光側接続端子部材が設けられており、前記本体側接続体には、前記発光側接続体と接続した際に前記発光側接続端子に電気的に接続する本体側接続端子部材が設けられている。さらに、前記発光側接続体及び前記本体側接続体には、前記発光側接続端子部材及び前記本体側接続端子部材が正しい組み合せで接続される場合にのみ嵌合する嵌合部がそれぞれ形成されている。さらに、前記発光部は、ＬＥＤが実装された回路基板を支持固定する枠体を備えており、前記枠体の長手方向の中間部分に前記発光側接続体が固定されている。
【発明の効果】
【０００８】
上記のような構成を有することで、発光部を本体部から取り外して別の場所に設置された本体側接続体に接続することができるので、ＬＥＤからなる光源を有する発光部を様々な場所に設置することが可能となり、ＬＥＤを用いた発光体を効率よく使用することができる。
【図面の簡単な説明】
【０００９】
【図１】本発明に係る実施形態に関する外観斜視図である。
【図２】発光部に関する外観斜視図である。
【図３】発光部に関する分解斜視図である。
【図４】発光側接続体の取付部分に関する一部拡大斜視図である。
【図５】上ヒンジ部に関する一部拡大斜視図である。
【図６】上ヒンジ部に関する分解斜視図である。
【図７】本体側接続体に関する上方からみた斜視図である。
【図８】本体側接続体に関する下方からみた斜視図である。
【図９】本体側接続体に関する分解斜視図である。
【図１０】発光部を用いた照明器具に関する外観斜視図である。
【図１１】発光部を用いた照明器具に関する外観斜視図である。
【図１２】照明器具を分解して梱包状態にした説明図である。
【図１３】本発明に係る別の実施形態に関する外観斜視図である。
【図１４】発光部に関する外観斜視図である。
【図１５】発光部に関する分解斜視図である。
【図１６】発光側接続体の取付部分に関する一部拡大斜視図である。
【図１７】本体側接続体を接続側から見た斜視図である。
【図１８】本体側接続体を接続側の反対側から見た斜視図である。
【発明を実施するための形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態に関する外観斜視図である。照明器具Ａは、直管状の１対の発光部１及び発光部１を支持する本体部２を備えている。発光部１は、後述するＬＥＤ基板を収容して支持する枠体１０を有しており、枠体１０のほぼ中間部分には発光側接続体１１が取り付けられている。本体部２は、発光部１を支持する１対の支持体２０、支持体２０を保持する基台２１及び基台２１の下端部に設けられた取付体２２を有している。そして、支持体２０の一方の端部には、発光側接続体１１と着脱可能に接続する本体側接続体２３が取り付けられている。
【００１２】
図２は、発光部１に関する外観斜視図であり、図３は、発光部１に関する分解斜視図である。発光部１の枠体１０は、２分割された２つの外筒体１０ａ及び１０ｂを組み合せて円筒状に形成されており、内部には長手方向に沿って支持板１０ｃが外筒体１０ｂに取り付けられている。枠体１０の長手方向の両端部には１対のキャップ１２が嵌め込まれている。外筒体１０ａは、ＬＥＤにより発光される光を透過するとともに拡散する材料から形成されている。
【００１３】
支持板１０ｃには、複数のＬＥＤ素子１３が実装された回路基板１４が複数枚長手方向に配列されて取り付けられている。支持板１０ｃの長手方向の中間部分には切り欠き１０ｄが形成されており、回路基板１４に電気的に接続して電源を供給する供給端子を有する取付部材１５が切り欠き１０ｄから突出するように設けられている。支持板１０ｃから突出した取付部材１５に合わせて外筒体１０ｂに開口部が形成されており、形成された開口部に嵌め込まれた取付部材１５に発光側接続体１１がネジ等により固定されることで、発光側接続体１１が外筒体１０ｂに取り付けられている。
【００１４】
発光側接続体１１は、平面視矩形状の外枠１１ａの内部に１対の発光側接続端子部材１１ｂが取付固定されており、発光側接続端子部材１１ｂは、その下端部が外枠１１ａから下方に突出し、取付部材１５の供給端子と電気的に接続されている。
【００１５】
図４は、発光側接続体１１の取付部分に関する一部拡大斜視図である。発光側接続端子部材１１ｂの上部は、外枠１１ａから上方に突出しており、平面視で外枠１１ａの対角線上の角部に突出部分が配置されるように設定されている。発光側接続端子部材１１ｂの突出部分の上端部はＬ字状に内側に折り曲げられて係合部分１１ｃが形成されている。外枠１１ａの中央部分には台座部１１ｄが一体形成されており、台座部１１ｄの上面には、発光側接続体１１の回転中心軸に一致するように軸部１１ｅが突設されている。軸部１１ｅは、後述する本体側接続体２３の軸孔２３ｅに嵌合するように円柱状に形成されている。軸部１１ｅには、外方に向かって延設された凸状嵌合部１１ｆが一体形成されており、凸状嵌合部１１ｆは、後述する本体側接続体２３の凹状嵌合部２３ｆに嵌め込まれることで、発光側接続体１１と本体側接続体２３とが正しく接続されるようになっている。
【００１６】
本体部２の支持体２０には、図１に示すように、上端部に発光部１と回動可能に接続する上ヒンジ部２４が設けられており、下端部に基台２１と回動可能に接続する下ヒンジ部２５が設けられている。
【００１７】
図５は、上ヒンジ部２４に関する一部拡大斜視図であり、図６は、上ヒンジ部２４に関する分解斜視図である。上ヒンジ部２４は、支持体２０の上端部に固定された固定側連結部２４ａ及び本体側接続体２３を取り付けた回動側連結部２４ｂを組み合せて構成されている。そして、締付部２４ｃにより回動側連結部２４ｂが固定側連結部２４ａに当接させた状態で回動可能に保持されている。締付部２４ｃの中心軸に沿って雄ネジ部２４ｄが立設され、固定側連結部２４ａの内部には中心軸に沿って雌ネジ部２４ｅが立設されており、雄ネジ部２４ｄを雌ネジ部２４ｅに螺合して締め付けることで、固定側連結部２４ａに対して回動側連結部２４ｂを任意の回動角度位置で保持することが可能となる。回動側連結部２４ｂは、円筒状に形成されるとともに軸方向に沿って所定幅で切り欠いて装着部２４ｆが形成されている。
【００１８】
図７は、本体側接続体２３に関する上方からみた斜視図であり、図８は、本体側接続体２３に関する下方からみた斜視図である。本体側接続体２３は、上方が開口した平面視矩形状の外枠２３ａを備えており、開口した上端部には、固定側連結部２４ａに対向する部分が切り欠かれて当接部２３ｂが形成されている。また、回動側連結部２４ｂの装着部２４ｆに対応する部分は外方に向かって折り曲げられて係合部２３ｃが形成されている。そして、係合部２３ｃを回動側連結部２４ｂに軸方向から挿着して、本体側接続体２３が回動側連結部２４ｂに取り付けられて支持された状態となる。
【００１９】
本体側接続体２３の底面の左側部分及び右側部分には、発光側接続端子部材１１ｂの上端部に形成された係合部分１１ｃが挿入される１対のガイド孔２３ｄが形成されている。ガイド孔２３ｄは、矩形状の底面の角部に対応する部分が幅広の挿入口に形成され、挿入口から円弧状で細幅の案内溝が形成されている。
【００２０】
また、中央部分には、発光側接続体１１の上面に突設された軸部１１ｅが嵌合する軸孔２３ｅが形成されており、軸孔２３ｅから外方に拡がるように扇状の凹状嵌合部２３ｆが形成されている。
【００２１】
図９は、本体側接続体２３に関する分解斜視図である。本体側接続体２３の内部には、１対の本体側接続端子部材２３ｇが固定ネジ２３ｈにより取付固定されている。本体側接続端子部材２３ｇは、固定ネジ２３ｈに固定される部分から細幅状の延設部分が下方に向かって折り曲げるように形成され、さらに折り曲げて当接部分２３ｉが形成されている。そして、本体側接続端子部材２３ｇが取付固定された状態では、ガイド孔２３ｄの案内溝の内側に沿って本体側接続体２３の底面と平行に形成された係合面に当接部分２３ｉが配置されるように設定される。
【００２２】
本体側接続体２３に発光側接続体１１を接続する場合には、１対の発光側接続端子部材１１ｂの係合部分１１ｃをガイド孔２３ｄの挿入口に挿入するとともに軸部１１ｅを軸孔２３ｅに嵌合させる。その際に、発光側接続体１１の上面に形成された凸状嵌合部１１ｆが本体側接続体２３の底面に形成された凹状嵌合部２３ｆに対向するように発光側接続体１１及び本体側接続体２３が組み合わされていれば、凹状嵌合部２３ｆに凸状嵌合部１１ｆが嵌合して発光側接続体１１の上面が本体側接続体２３の底面に密着した状態となる。
【００２３】
発光部１に設けられたＬＥＤに対して直流電源を供給するため、発光側接続体１１に設けられた発光側接続端子部材１１ｂは、一方が正極で他方が負極になるように電源に接続する必要がある。そのため、発光側接続端子部材１１ｂと本体側接続端子部材２３ｇの間で正極及び負極の端子部材同士がそれぞれ組み合わされるように、凸状嵌合部１１ｆ及び凹状嵌合部２３ｆの設定位置を予め決めて形成しておく。このように設定された凸状嵌合部１１ｆ及び凹状嵌合部２３ｆを嵌合させるように組み合わせれば、発光側接続端子部材１１ｂ及び本体側接続端子部材２３ｇを正しく組み合せた状態で確実に電気的に接続させることができる。
【００２４】
そして、発光側接続体１１及び本体側接続体２３が密着した状態で発光側接続体１１を軸部１１ｅを中心に回動させると、係合部分１１ｃがガイド孔２３ｄの案内溝に沿って移動するようになる。その際に、係合部分１１ｃの内側に折り曲げた部分が案内溝の内側に形成された係合面に沿って移動して係合状態となるとともに係合面に配置された本体側接続端子部材２３ｇの当接部分２３ｉに係合部分１１ｃが圧接した状態となって発光側接続端子部材１１ｂが本体側接続端子部材２３ｇと電気的に接続した状態に設定される。発光側接続体１１の回動に伴って凸状嵌合部１１ｆも回動するようになるが、凹状嵌合部２３ｆが扇状に形成されているため、凸状嵌合部１１ｆは凹状嵌合部２３ｆ内を回動し、回動動作に支障を来すことはない。そして、凸状嵌合部１１ｆ及び凹状嵌合部２３ｆが嵌合することで、本体側接続体２３に対して発光側接続体１１が過度に回動せずに正しい接続位置でセットすることができる。
【００２５】
以上説明したように、発光側接続体１１を本体側接続体２３に接続することで、発光部１を本体部２に着脱可能に接続して発光部１を本体部２で支持した状態とすることができ、また発光部１と本体部２との間を電気的に接続して本体部２から発光部１に電源を供給することができる。その際にＬＥＤに供給される直流電源の正極及び負極に対応する接続端子部材を正しい組み合せで確実に接続することができる。
【００２６】
また、発光部１及び本体部２にそれぞれ設けられた接続体を回動させて接続する場合、発光部１の長手方向の中間部分に発光側接続体１１が設けられているので、発光部１の中間部分を把持して容易に回動させて取り付けることができる。
【００２７】
支持体２０の下端部に設けられた下ヒンジ部２５は、上ヒンジ部２４と同様に１対の連結部から構成されており、一方の連結部を基台２１に取り付けて固定側連結部とし、他方の連結部を支持体２０の下端部に取り付けて回動側連結部として両者を締付部で連結している。そのため、下ヒンジ部２５においても基台２１に対して支持体２０を回動させて任意の回動角度位置で保持できるようになっている。このように構成することで、下ヒンジ部２５により基台２１に対して支持体２０を回動させ、さらに上ヒンジ部２４により支持体２０に対して発光部１を回動させて発光部を利用しやすい照明位置に適宜設定することができる。そして、発光部１が長手方向の中間部分で支持されているので、発光部１の重心に近い位置でバランス良く支持されるようになり、照明位置を安定した状態で設定することができる。また、発光部１は、上述したように発光側接続体１１の係合部分１１ｃが本体側接続体２３の係合面にしっかりと係合した状態で保持されているので、発光部１を適当な照明位置に移動させる場合に加わる力に対して十分な強度を備えている。
【００２８】
基台２１は、断面矩形状の筒状に構成されており、内部に電源を供給するための配線コードが収容されている。配線コードは、下ヒンジ部２５、支持体２０及び上ヒンジ部２４の内部を通り本体側接続体２３の本体側接続端子部材２３ｇに接続されている。
【００２９】
取付体２２は、基台２１の下端に固定されており、机等の縁部に嵌合してネジ止めする構造を備えている。この例では、発光部１を２つ備えていることから、対面配置した２つの机の間に取付体２２を固定することで、２つの机の上面を発光部１により均等に照明することができるようになる。
【００３０】
以上説明した例では、卓上スタンドに２つの発光部１を用いているが、発光部１を発光側接続体１１で着脱可能に取り外すことができるので、発光部１を他の照明器具に利用することができ、発光部１を効率よく使用することが可能となる。例えば、図１０は、発光部１を用いた照明器具Ｂに関する外観斜視図である。照明器具Ｂは、卓上スタンドとして用いるもので、本体部２’に１つの発光部１が接続されている。本体部２’に本体側接続体を予め取り付けておけば、発光部１を簡単に取り付けることができる。そのため、図１に示す発光部１を使用していない場合には、発光部１を取り外して図１０に示す照明器具Ｂに取り付けて使用することができる。また、図１１は、発光部１を用いた照明器具Ｃに関する外観斜視図である。照明器具Ｃは、発光部１により廊下等において足元を照射するように構成されている。照明器具Ｃの場合にも発光部１を壁面に設けた本体部２”に設けた本体側接続体に接続することで使用することができ、節電等により使用しない場合には簡単に取り外して別の場所の照明に使用することが可能となる。
【００３１】
図１２は、図１に示す照明器具を分解して梱包状態にした説明図である。図１に示す照明器具Ａの場合、発光部１及び本体部２は、発光側接続体１１及び本体側接続体２３を取り外すことで容易に分離できるので、図１２に示すように、本体部２の支持体２０を基台２１の長手方向に沿わせるようにして発光部１を基台２１に重ねるように載置すれば、狭い幅のスペースに直列状態で発光部１及び本体部２をコンパクトに配列することが可能となる。そのため、段ボール等の梱包資材が節減でき、また梱包状態で積載する場合にも空きスペースが少なくて済むため、輸送にかかるコスト負担を低減することが可能となる。
【００３２】
このように、発光部に発光側接続体を設けて本体部の本体側接続体と着脱可能に接続するように構成することで、発光部を取り外して別の場所に簡単に設置することが可能となる。そのため、ＬＥＤを備えた発光部を様々な場所で利用することができ、長寿命で消費電力の少ないＬＥＤによる照明を長期間にわたって有効活用することが可能となる。
【００３３】
なお、上述した例では、接続体同士を接続端子部材の係合により接続するようにしているが、両接続体をネジ止め等の公知の固定手段により接続固定するようにしてもよく、特に限定されない。また、発光部では下側にＬＥＤを配列するようにしているが、後述するように上側及び下側にＬＥＤを配列して上下方向に照明するように発光部を構成することもできる。
【００３４】
図１３は、本発明に係る別の実施形態に関する外観斜視図である。照明器具Ｄは、直管状の発光部３及び発光部３を支持する本体部４を備えている。発光部３は、後述するＬＥＤ基板を収容して支持する枠体３０を有しており、枠体３０のほぼ中間部分には発光側接続体３１が取り付けられている。本体部４は、発光部３を支持する支持体４０、支持体４０を保持する基台４１を有している。基台４１の下端には取付体４５が固定されており、机等の載置台に取付体４５をネジ止め等により固定して照明器具Ｄが取り付けられる。そして、支持体４０の一方の端部には、発光側接続体３１と着脱可能に接続する本体側接続体４２が取り付けられている。
【００３５】
図１４は、発光部３に関する外観斜視図であり、図１５は、発光部３に関する分解斜視図である。発光部３の枠体３０は、取付体３０ａの上下に２つの外筒体３０ｂ及び３０ｃを組み合せて円筒状に形成されており、取付体３０ａは、上側及び下側が凹状に形成されて平板状の一対の載置部３０ｄが長手方向に沿って形成されている。枠体３０の長手方向の両端部には１対のキャップ３２が嵌め込まれている。外筒体３０ｂ及び３０ｃは、ＬＥＤにより発光される光を透過するとともに拡散する材料から形成されている。
【００３６】
一対の載置部３０ｄには、複数のＬＥＤ３３が実装された回路基板３４が複数枚長手方向に配列されて上下にそれぞれ取り付けられている。上側の外筒体３０ｂの長手方向の中間部分には切り欠き３０ｅが形成されており、回路基板３４に電気的に接続して電源を供給する供給端子を有する取付部材３５が切り欠き３０ｅから突出するように設けられている。外筒体３０ｂから突出した取付部材３５に発光側接続体３１がネジ等により固定されることで、発光側接続体３１が外筒体３０ｂに取り付けられている。
【００３７】
発光側接続体３１は、平面視矩形状の外枠３１ａの内部に１対の発光側接続端子部材３１ｂ及び発光側共通端子部材３１ｃが取付固定されており、発光側接続端子部材３１ｂ及び発光側共通端子部材３１ｃは、その下端部が外枠３１ａから下方に突出し、取付部材３５の供給端子と電気的に接続されている。一対の発光側接続端子部材３１ｂの一方は、取付体３０ａの上側に配列された回路基板３４に接続されており、他方は、取付体３０ａの下側に配列された回路基板３４に接続されている。発光側共通端子部材３１ｃは、上側及び下側の回路基板３４に接続されている。そして、一方の発光側接続端子部材３１ｂと発光側共通端子部材３１ｃとの間に電源を供給することで、上側のＬＥＤ素子３３が発光するようになり、他方の発光側接続端子部材３１ｂと発光側共通端子部材３１ｃとの間に電源を供給することで、下側のＬＥＤ３３が発光するようになる。
【００３８】
図１６は、発光側接続体３１の取付部分に関する一部拡大斜視図である。外枠３１ａは、外周に所定の高さの側面部３１ｆが形成されており、側面部３１ｆの上面に後述する本体側接続体４２が当接して接続されるようになっている。発光側接続端子部材３１ｂの上部は、側面部３１ｆから上方に突出しており、平面視で外枠３１ａの対角線上の角部に突出部分が配置されるように設定されている。発光側接続端子部材３１ｂの突出部分の上端部はＬ字状に内側に折り曲げられて係合部分３１ｄが形成されている。外枠３１ａの中央部分には棒状の発光側共通端子部材３１ｃが上方に突出している。発光側共通端子部材３１ｃの突出部分は、発光側接続体３１の回転中心軸に一致するように突設されており、後述する本体側接続体４２の軸孔４２ｃに嵌合するように円柱状に形成されている。
【００３９】
外枠３１ａの内部には、発光側共通端子部材３１ｃの突出部分に近接して当接部３１ｅが形成されている。当接部３１ｅは、側面部３１ｆと同一の高さに設定されており、後述する本体側接続体４２の突起部４２ｄに当接することで、発光側接続体３１と本体側接続体４２とが正しく接続されるように組み合わせられているか確認することができる。
【００４０】
図１７は、本体側接続体４２を接続側から見た斜視図であり、図１８は、本体側接続体４２を接続側の反対側から見た斜視図である。本体側接続体４２は、平面視矩形状の外枠４２ａを備えており、外枠４２ａは、ヒンジ部４３ａにネジ止めされて支持されている。本体側接続体４２の底面の左側部分及び右側部分には、発光側接続端子部材３１ｂの上端部に形成された係合部分３１ｄが挿入される１対のガイド孔４２ｂが形成されている。ガイド孔４２ｂは、図１に示す実施形態の本体側接続体２３のガイド孔２３ｄと同様に、矩形状の底面の角部に対応する部分が幅広の挿入口に形成され、挿入口から円弧状で細幅の案内溝が形成されている。外枠４２ａの底面の中央部分には、発光側接続体３１の上面に突設された発光側共通端子部材３１ｃの突出部分が嵌合する軸孔４２ｃが形成されており、軸孔４２ｃに近接して突起部４２ｄが形成されている。
【００４１】
本体側接続体４２の内部には、図１に示す実施形態の本体側接続体２３の本体側接続端子部材２３ｇと同様の１対の本体側接続端子部材４２ｅが固定ネジ４２ｆにより取付固定されている。本体側接続端子部材４２ｅは、本体側接続端子部材２３ｇと同様に、固定ネジ４２ｆに固定される部分から細幅状の延設部分が下方に向かって折り曲げるように形成され、さらに折り曲げて当接部分４２ｇが形成されている。そして、本体側接続端子部材４２ｅが取付固定された状態では、ガイド孔４２ｂの案内溝の内側に沿って本体側接続体４２の底面と平行に形成された係合面に当接部分４２ｇが配置されるように設定される。
【００４２】
本体側接続体４２の内部には、軸孔４２ｃに対向配置された本体側共通端子部材４２ｈが取付固定されている。本体側共通端子部材４２ｈには、軸孔４２ｃに向かって折り曲げて形成された一対の当接部４２ｉが延設されており、発光側共通端子部材３１ｃの突出部分が軸孔４２ｃに挿入された場合に当接部４２ｉの間に挟持されるように接続される。
【００４３】
本体側接続体４２に発光側接続体３１を接続する場合には、１対の発光側接続端子部材３１ｂの係合部分３１ｄをガイド孔４２ｂの挿入口に挿入するとともに発光側共通端子部材３１ｃの突出部分を軸孔４２ｃに挿入する。その際に、発光側接続体３１に形成された当接部３１ｅが、発光側共通端子部材３１ｃに対して、本体側接続体４２の底面に形成された突起部４２ｄとは反対側に配置されるように組み合わせることで、当接部３１ｅが突起部４２ｄに接触せずに正しく接続することが可能となる。
【００４４】
発光側接続体３１に形成された当接部３１ｅが本体側接続体４２の底面に形成された突起部４２ｄに対向するように発光側接続体３１及び本体側接続体４２を組み合わせた場合、当接部３１ｅが突起部４２ｄに突き当り、発光側接続体３１の側面部３１ｆが本体側接続体４２の底面に密着させることができなくなる。また、当接部３１ｅが突起部４２ｄと突き当るため、突起部４２ｄに突き当らないように当接部３１ｅをずらして組み合せようとしても、発光側接続端子部材３１ｂの係合部分３１ｄがガイド孔４２ｂからずれてしまい挿入することができなくなるため、発光側接続体３１及び本体側接続体４２が正しく組み合せられていないことが確実に認識することができる。なお、この例では、当接部３１ｂ及び突起部４２ｄの接触により正しい組み合せを認識できるようにしているが、図１に示す例のように、凸状嵌合部１１ｆ及び凹状嵌合部２３ｆを設けるようにしてもよい。
【００４５】
発光部３に設けられた上下のＬＥＤ３３に対して直流電源を供給するため、発光側接続体３１に設けられた発光側接続端子部材３１ｂは、一方が上側のＬＥＤ３３に電源を供給し、他方が下側のＬＥＤ３３に電源に供給するように接続する必要がある。そのため、発光側接続端子部材３１ｂと本体側接続端子部材４２ｅの間で上側及び下側に対応する端子部材同士がそれぞれ組み合わされるように、当接部３１ｅ及び突起部４２ｄの設定位置を予め決めて形成しておく。このように設定された当接部３１ｅ及び突起部４２ｄを突き当らないように組み合わせれば、発光側接続端子部材３１ｂ及び本体側接続端子部材４２ｅを正しく組み合せた状態で確実に電気的に接続させることができる。また、発光側共通端子部材３１ｃの突出部分を軸孔４２ｃに挿入することで、発光側共通端子部材３１ｃの突出部分が本体側共通端子部材４２ｈの当接部４２ｉに接触して電気的に接続させることができ、発光側接続体３１及び本体側接続体４２に設けた３つの接続端子部材を正しい組み合せで確実に接続することが可能となる。
【００４６】
そして、発光側接続体３１及び本体側接続体４２が密着した状態で発光側接続体３１を発光側共通端子部材３１ｃを中心に回動させると、係合部分３１ｄがガイド孔４２ｂの案内溝に沿って移動するようになる。その際に、係合部分３１ｄの内側に折り曲げた部分が案内溝の内側に形成された係合面に沿って移動して係合状態となるとともに係合面に配置された本体側接続端子部材４２ｅの当接部分４２ｇに係合部分３１ｄが圧接した状態となって発光側接続端子部材３１ｂが本体側接続端子部材４２ｅと電気的に接続した状態に設定される。発光側接続体３１の回動に伴って当接部３１ｅも回動するようになるが、突起部４２ｄが発光側共通端子部材３１ｃに対して当接部３１ｅとは反対側に配置されているため、回動動作に支障を来すことはない。
【００４７】
本体部４の支持体４０は、図１３に示すように、３つのヒンジ部４３ａ、４３ｂ及び４３ｃにより連結されたアーム部材４４ａ及び４４ｂからなり、各ヒンジ部は、上ヒンジ部２４と同様に１対の連結部から構成されている。そのため、各ヒンジ部において基台４１に対して各アーム部材を回動させて任意の回動角度位置で保持できるようになっている。このように構成することで、発光部３を回動させて発光部３を利用しやすい照明位置に適宜設定することができる。そして、発光部３が長手方向の中間部分で支持されているので、発光部３の重心に近い位置でバランス良く支持されるようになり、照明位置を安定した状態で設定することができる。また、発光部３は、上述したように発光側接続体３１の係合部分３１ｄが本体側接続体４２の係合面にしっかりと係合した状態で保持されているので、発光部３を適当な照明位置に移動させる場合に加わる力に対して十分な強度を備えている。
【００４８】
基台４１は、断面矩形状の筒状に構成されており、内部に電源を供給するための配線コードが収容されている。配線コードは、電源コード４７に接続するとともに各ヒンジ部及び各アーム部材の内部を通り本体側接続体４２の本体側接続端子部材４２ｅ及び本体側共通端子部材４２ｈに接続されている。
【００４９】
基台４１の下側には、１対の電源スイッチ４６ａ及び４６ｂが設けられており、電源スイッチ４６ａは、発光部３の上側のＬＥＤ３３に電源を供給する一方の本体側接続端子部材４２ｅに接続し、電源スイッチ４６ｂは、発光部３の下側のＬＥＤ３３に電源を供給する他方の本体側接続端子部材４２ｅに接続している。そのため、電源スイッチ４６ａ及び４６ｂを操作することで、発光部３の上下のＬＥＤ３３を選択して発光させることができる。上側のＬＥＤ３３を発光させることで、室内全体に対して照明することができるため、天井等に設置した従来の照明器具を用いることなく室内全体を間接照明により明るくすることが可能となる。したがって、従来の照明器具による照明に比べて消費電力を節減することができ、また、照明が必要な箇所の照明器具だけ電源スイッチ４６ａを操作して照明を行うことも可能となり、節電効果を格段に向上させることができる。
【００５０】
以上説明したように、発光側接続体３１を本体側接続体４２に接続することで、発光部３を本体部４に着脱可能に接続して発光部３を本体部４で支持した状態とすることができ、また発光部３と本体部４との間を電気的に接続して本体部４から発光部３に電源を供給することができる。その際に発光部３の上下に配列されたＬＥＤ３３に対応する接続端子部材を正しい組み合せで確実に接続することができる。
【符号の説明】
【００５１】
Ａ〜Ｄ・・・照明器具、１・・・発光部、２・・・本体部、３・・・発光部、４・・・本体部、１０・・・枠体、１１・・・発光側接続体、１１ｂ・・・発光側接続端子部材、２０・・・支持体、２１・・・基台、２２・・・取付体、２３・・・本体側接続体、２３ｇ・・・本体側接続端子部材、２４・・・上ヒンジ部、２５・・・下ヒンジ部、３０・・・枠体、３１・・・発光側接続体、３１ｂ・・・発光側接続端子部材、３１ｃ・・・発光側共通端子部材、４０・・・支持体、４１・・・基台、４２・・・本体側接続体、４２ｅ・・・本体側接続端子部材、４２ｈ・・・本体側共通端子部材、４３・・・ヒンジ部、４４・・・アーム部材、４５・・・取付体、４６・・・電源スイッチ
【図１】
2013149541.tif 000003
【図２】
2013149541.tif 000004
【図３】
2013149541.tif 000005
【図４】
2013149541.tif 000006
【図５】
2013149541.tif 000007
【図６】
2013149541.tif 000008
【図７】
2013149541.tif 000009
【図８】
2013149541.tif 000010
【図９】
2013149541.tif 000011
【図１０】
2013149541.tif 000012
【図１１】
2013149541.tif 000013
【図１２】
2013149541.tif 000014
【図１３】
2013149541.tif 000015
【図１４】
2013149541.tif 000016
【図１５】
2013149541.tif 000017
【図１６】
2013149541.tif 000018
【図１７】
2013149541.tif 000019
【図１８】
2013149541.tif 000020